(57)【特許請求の範囲】
【請求項１】
多階調（Ｍ値）画像データをディザマトリクスを用いてＮ値（Ｎ≦Ｍ）画像データに変換し、
前記Ｎ値画像データの各画素の値に基づき、対応する位置のドット出力を制御することで直線状のパターン画像を形成する画像形成方法において、
前記ディザマトリクスは、
前記多階調画像データの各画素の値の増加に伴い、先にドット出力されたドット位置に隣接してドット出力がなされるようにディザ閾値が配置されており、
かつ、
主走査方向に２ドット以上の複数ドットが隣接して出力され、当該隣接して出力された複数ドットに対して前記直線状のパターン方向に配列するように、さらに前記直線状のパターン方向に隣接した複数ドットが出力されていくことで、２ドット以上の幅の直線を形成し、
前記多階調画像データの各画素の値の増加に伴い、前記２ドット以上の幅の直線に隣接した位置にドット出力が行われることで前記直線の幅が太るように成長するようディザ閾値が配置されている
ことを特徴とする画像形成方法。
【請求項２】
多階調画像データをディザマトリクスを用いて２値画像データに変換し、
前記２値画像データの各画素の値に基づき、対応する位置のドット出力を制御することで直線状のパターン画像を形成する画像形成方法において、
前記ディザマトリクスは、
前記多階調画像データの各画素の値の増加に伴い、先にドット出力されたドット位置に隣接してドット出力がなされるようにディザ閾値が配置されており、
かつ、
主走査方向に２ドット以上の複数ドットが隣接して出力され、当該隣接して出力された複数ドットに対して前記直線状のパターン方向に配列するように、さらに前記直線状のパターン方向に隣接した複数ドットが出力されていくことで、２ドット以上の幅の直線を形成し、
前記多階調画像データの各画素の値の増加に伴い、前記２ドット以上の幅の直線に隣接した位置にドット出力が行われることで前記直線の幅が太るように成長するようディザ閾値が配置されている
ことを特徴とする画像形成方法。
【請求項３】
多階調（Ｍ値）画像データをディザマトリクスを用いてＮ値（Ｎ＜Ｍ）画像データに変換し、
前記Ｎ値画像データの各画素の値に基づき、対応する位置のドット出力を制御することにより1200dpi以上の解像度で直線状のパターン画像を形成する画像形成方法において、
前記ディザマトリクスは、
前記多階調画像データの各画素の値の増加に伴い、先にドット出力されたドット位置に隣接してドット出力がなされるようにディザ閾値が配置されており、
かつ、
主走査方向および副走査方向に２×２以上の複数ドットが隣接して出力され、当該隣接して出力された複数ドットに対して前記直線状のパターン方向に配列するように、さらに前記直線状のパターン方向に隣接した複数ドットが出力されていくことで、２ドット以上の幅の直線を形成し、
前記多階調画像データの各画素の値の増加に伴い、前記２ドット以上の幅の直線に隣接した位置にドット出力が行われることで前記直線の幅が太るように成長するようディザ閾値が配置されている
ことを特徴とする画像形成方法。
【請求項４】
多階調画像データをディザマトリクスを用いて２値画像データに変換し、
前記２値画像データの各画素の値に基づき、対応する位置のドット出力を制御することにより１２００ｄｐｉ以上の解像度で直線状のパターン画像を形成する画像形成方法において、
前記ディザマトリクスは、
前記多階調画像データの各画素の値の増加に伴い、先にドット出力されたドット位置に隣接してドット出力がなされるようにディザ閾値が配置されており、
かつ、
主走査方向および副走査方向に２×２以上の複数ドットが隣接して出力され、当該隣接して出力された複数ドットに対して前記直線状のパターン方向に配列するように、さらに前記直線状のパターン方向に隣接した複数ドットが出力されていくことで、２ドット以上の幅の直線を形成し、
前記多階調画像データの各画素の値の増加に伴い、前記２ドット以上の幅の直線に隣接した位置にドット出力が行われることで前記直線の幅が太るように成長するようディザ閾値が配置されている
ことを特徴とする画像形成方法。
【請求項５】
多階調（Ｍ値）画像データをディザマトリクスを用いてＮ値（Ｍ＞Ｎ≧３）画像データに変換し、前記Ｎ値画像データの各画素の値に基づき、画像書込信号をパルス幅変調することで、対応する位置のドット出力を制御して直線状のパターン画像を形成する画像形成方法において、
前記ディザマトリクスは、
最初にドット出力されたドット位置が飽和値になるまでドット出力した後、当該ドット位置に対して前記直線状のパターン方向に隣接する位置にドット出力がなされていくことで、前記直線上のパターン画像を形成するようにディザ閾値が配置されており、
かつ、
前記多階調画像データの各画素の値の増加に伴い、前記直線を構成するドットに対して主走査方向に隣接した位置にドット出力が行われることで前記直線の幅が太るように成長するようディザ閾値が配置されている
ことを特徴とする画像形成方法。
【発明の詳細な説明】
【０００１】
【発明の属する技術分野】
本発明はレーザプリンタ、デジタル複写機、カラーレーザプリンタなどの画像形成装置及び表示装置などに適用される画像形成方法に関する。
【０００２】
【従来の技術】
画像形成装置の中間調処理にはディザ法が多く用いられ、このディザ法によれば２値プリンタにおいても階調や色が表現される。ディザ法は、ドットを形成する網点型ディザ法が一般的であり、ドットを集合して配置するドット集中タイプと、ドットを離散的に配置するドット分散タイプがある。また、カラー画像形成装置には、4つの作像系でイエロー（以下Ｙという）、マゼンタ（以下Ｍという）、シアン（以下Ｃという）、ブラック（以下Ｋという）の各色の画像をそれぞれ形成し、これらの各色の画像を転写紙へ順次に重ねて転写する画像形成方式と、Ｙ、Ｍ、Ｃ、Ｋ各色の画像を同一の作像系で形成する画像形成方式がある。
【０００３】
また、ディザ法にはＹ、Ｍ、Ｃ、Ｋ各色毎の網点の方向をずらすスクリーン角ディザ法がある。印刷網点などでは、スクリーン角を３０度おきに配置することが一般的に行われている。
特開昭６１−２１４６６２号公報には、１つの画像データに対して複数の微小ドットを形成し、微小ドットの集合により記録方向に対して斜めの方向にドットを形成し、濃度増加によって微小ドットを増加させ、画素の最大濃度に達した後は残余の画素の微小ドットを同様に増加させるものが記載されている。
【０００４】
特開平１０−２５７３３７号公報には、低濃度部で階調の増加に伴ってドットが線状に成長し、１本の線状に複数のドットが離散的に現れるパターンを用いる画像形成装置が記載されている。
【０００５】
特開平１０−１４５６２６号公報には、入力カラー画像信号を画像形成装置に送出する画像記録信号に変換する画像処理装置において、前記入力カラー画像信号をデバイスに依存しない３変数色信号に変換する第１色変換手段と、その３変数色信号を前記画像記録信号に変換する第２色変換手段と、前記第１色変換手段のパラメータを決定するパラメータ決定手段とを備え、そのパラメータ決定手段が、入力カラー画像信号中の特徴色を所定の色に一致させるとともに、前記画像形成装置にによる出力画像の色再現特性の線形性を維持するように、前記第１色変換手段のパラメータを決定することを特徴とする画像処理装置が記載されている。
【０００６】
特許第２６８８１９９号公報には、一画素が複数レベルの階調を有する画像データを入力する入力手段と、前記入力手段により入力した画像データを複数の閾値より構成される閾値マトリクスと比較し、多値データに変換する多値化手段とを備え、前記多値化手段で用いられる閾値マトリクス内の閾値は、前記多値化手段の変換による一画素の多値データによるドットと、前記一画素の真下の画素の多値データによるドットとが、斜め方向の線スクリーンを形成するように分布していることを特徴とする画像処理装置が記載されている。
【０００７】
【発明が解決しようとする課題】
ドット集中タイプのディザ法は、電子写真プリンタにおいて用いられ、画像の安定性が良く、階調性に優れるが、文字が画像のエッジにがたつきが発生する。一方、ドット分散タイプのディザ法は、解像度が高いが、階調性、安定性に欠け、バンディングなどの濃度ムラも起こりやすい。
【０００８】
また、4つの作像系でＹ、Ｍ、Ｃ、Ｋ各色の画像をそれぞれ形成し、これらの各色の画像を転写紙へ順次に重ねて転写する画像形成方式では、Ｙ、Ｍ、Ｃ、Ｋ各色の画像の位置ずれが発生し、１枚のカラー画像形成でも数十ミクロンずれるという局所的な変動が避けられない。一方、Ｙ、Ｍ、Ｃ、Ｋ各色の画像を同一の作像系で形成する画像形成方式では、Ｙ、Ｍ、Ｃ、Ｋ各色の画像の位置ずれ量は上記4つの作像系を有する画像形成方式より低く抑えられるが、ある程度は発生する。
【０００９】
カラー画像形成装置では、Ｙ、Ｍ、Ｃ、Ｋ各色の画像の局所的な位置ずれが発生すると、例えばＹ、Ｍ、Ｃ、Ｋ各色の画像データに一般的な網点型ディザ処理を施してＹ、Ｍ、Ｃ、Ｋ各色の画像を形成し、これらの各色画像を重ね合わせた場合、その各色画像のドットは、周期性を持って配置され、カラー画像内で重なり合っているので、ドットの重なり具合が部分的に異なることになる。各色トナーによる各色画像のドットが重なっている部分は、色が濁って観察され、各色トナーによる各色画像のドットが同じデータ条件で形成されて離れて配置された部分とは色味が微妙に異なって観察される。一般的に、各色の画像はその内部で低周波の周期的な位置変動があり、カラー画像の均一な濃度の色部に色の変化である色付きといった現象が現れる。
【００１０】
このため、スクリーン角ディザ法が用いられ、印刷網点などではスクリーン角を３０度おきに配置することが一般的に行われている。しかし、印刷のローゼットパターンに代表されるようなスクリーン角により起こる特異なテクスチャが発生し、これを目立たないように工夫している。
【００１１】
また、ディザ処理においては、一般的に画像のハイライト部のドットが単独で孤立しているところでは、ドット形成のばらつきにより画像濃度、カラー画像形成装置では色再現に変動が大きい。特に、多階調書込みでの１ドットサイズ以下のドットはさらに不安定になる。
【００１２】
特開昭６１−２１４６６２号公報記載のものでは、複数の微小なドットを形成するが、このドットが感光体上で隣接して結合することがないので、ドット再現性が悪く、画像の安定性が悪い。特開平１０−２５７３３７号公報記載の画像形成装置では、画像のハイライト部は万線形成以前には孤立ドットで形成するので、画像の安定性が悪い。
【００１３】
本発明は、安定した画像形成を行うことができる画像形成方法を提供することを目的とする。
さらに、本発明は、露光分布の集中した安定した画像形成を行うことができ、画像のテクスチャの少ない高品質な画像を形成することができる画像形成方法を提供することを目的とする。
【００１６】
【課題を解決するための手段】
上記目的を達成するため、請求項１に係る発明は、多階調（Ｍ値）画像データをディザマトリクスを用いてＮ値（Ｎ≦Ｍ）画像データに変換し、前記Ｎ値画像データの各画素の値に基づき、対応する位置のドット出力を制御することで直線状のパターン画像を形成する画像形成方法において、前記ディザマトリクスは、  前記多階調画像データの各画素の値の増加に伴い、先にドット出力されたドット位置に隣接してドット出力がなされるようにディザ閾値が配置されており、かつ、主走査方向に２ドット以上の複数ドットが隣接して出力され、当該隣接して出力された複数ドットに対して前記直線状のパターン方向に配列するように、さらに前記直線状のパターン方向に隣接した複数ドットが出力されていくことで、２ドット以上の幅の直線を形成し、前記多階調画像データの各画素の値の増加に伴い、前記２ドット以上の幅の直線に隣接した位置にドット出力が行われることで前記直線の幅が太るように成長するようディザ閾値が配置されていることを特徴とする。
【００１７】
請求項２に係る発明は、多階調画像データをディザマトリクスを用いて２値画像データに変換し、前記２値画像データの各画素の値に基づき、対応する位置のドット出力を制御することで直線状のパターン画像を形成する画像形成方法において、前記ディザマトリクスは、前記多階調画像データの各画素の値の増加に伴い、先にドット出力されたドット位置に隣接してドット出力がなされるようにディザ閾値が配置されており、かつ、主走査方向に２ドット以上の複数ドットが隣接して出力され、当該隣接して出力された複数ドットに対して前記直線状のパターン方向に配列するように、さらに前記直線状のパターン方向に隣接した複数ドットが出力されていくことで、２ドット以上の幅の直線を形成し、前記多階調画像データの各画素の値の増加に伴い、前記２ドット以上の幅の直線に隣接した位置にドット出力が行われることで前記直線の幅が太るように成長するようディザ閾値が配置されていることを特徴とする。
【００１８】
請求項３に係る発明は、多階調（Ｍ値）画像データをディザマトリクスを用いてＮ値（Ｎ＜Ｍ）画像データに変換し、前記Ｎ値画像データの各画素の値に基づき、対応する位置のドット出力を制御することにより1200dpi以上の解像度で直線状のパターン画像を形成する画像形成方法において、前記ディザマトリクスは、前記多階調画像データの各画素の値の増加に伴い、先にドット出力されたドット位置に隣接してドット出力がなされるようにディザ閾値が配置されており、かつ、主走査方向および副走査方向に２×２以上の複数ドットが隣接して出力され、当該隣接して出力された複数ドットに対して前記直線状のパターン方向に配列するように、さらに前記直線状のパターン方向に隣接した複数ドットが出力されていくことで、２ドット以上の幅の直線を形成し、前記多階調画像データの各画素の値の増加に伴い、前記２ドット以上の幅の直線に隣接した位置にドット出力が行われることで前記直線の幅が太るように成長するようディザ閾値が配置されていることを特徴とする。
【００１９】
請求項４に係る発明は、多階調画像データをディザマトリクスを用いて２値画像データに変換し、前記２値画像データの各画素の値に基づき、対応する位置のドット出力を制御することにより１２００ｄｐｉ以上の解像度で直線状のパターン画像を形成する画像形成方法において、前記ディザマトリクスは、前記多階調画像データの各画素の値の増加に伴い、先にドット出力されたドット位置に隣接してドット出力がなされるようにディザ閾値が配置されており、かつ、主走査方向および副走査方向に２×２以上の複数ドットが隣接して出力され、当該隣接して出力された複数ドットに対して前記直線状のパターン方向に配列するように、さらに前記直線状のパターン方向に隣接した複数ドットが出力されていくことで、２ドット以上の幅の直線を形成し、前記多階調画像データの各画素の値の増加に伴い、前記２ドット以上の幅の直線に隣接した位置にドット出力が行われることで前記直線の幅が太るように成長するようディザ閾値が配置されていることを特徴とする。
【００２０】
請求項５に係る発明は、多階調（Ｍ値）画像データをディザマトリクスを用いてＮ値（Ｍ＞Ｎ≧３）画像データに変換し、前記Ｎ値画像データの各画素の値に基づき、画像書込信号をパルス幅変調することで、対応する位置のドット出力を制御して直線状のパターン画像を形成する画像形成方法において、前記ディザマトリクスは、最初にドット出力されたドット位置が飽和値になるまでドット出力した後、当該ドット位置に対して前記直線状のパターン方向に隣接する位置にドット出力がなされていくことで、前記直線上のパターン画像を形成するようにディザ閾値が配置されており、かつ、前記多階調画像データの各画素の値の増加に伴い、前記直線を構成するドットに対して主走査方向に隣接した位置にドット出力が行われることで前記直線の幅が太るように成長するようディザ閾値が配置されていることを特徴とする。
【００２２】
【発明の実施の形態】
図２は本発明の参考形態１の構造を示す。この参考形態１は、カラー画像形成装置としての電子写真カラープリンタの一形態である。このカラープリンタは、４色（Ｙ、Ｍ、Ｃ、Ｋ）の画像をそれぞれ独立の作像系1Ｙ、１Ｍ、１Ｃ、１Ｋで形成し、この４色の画像を合成する４ドラムタンデムエンジンタイプの画像形成装置である。
【００２３】
各作像系1Ｙ、１Ｍ、１Ｃ、１Ｋは、像担持体としての感光体、例えば小径のＯＰＣ（有機感光体）ドラム２Ｙ、２Ｍ、２Ｃ、２Ｋを有し、このＯＰＣドラム２Ｙ、２Ｍ、２Ｃ、２Ｋを取り囲むように作像の上流側から帯電手段としての帯電ローラ３Ｙ、３Ｍ、３Ｃ、３Ｋと、ＯＰＣドラム２Ｙ、２Ｍ、２Ｃ、２Ｋ上の静電潜像をそれぞれ現像剤で現像してＹ、Ｍ、Ｃ、Ｋ各色のトナー像とする現像装置４Ｙ、４Ｍ、４Ｃ、４Ｋと、クリーニング装置５Ｙ、５Ｍ、５Ｃ、５Ｋと、除電装置６Ｙ、６Ｍ、６Ｃ、６Ｋなどが配置されている。
【００２４】
各現像装置４Ｙ、４Ｍ、４Ｃ、４Ｋの脇には、Ｙトナー、Ｍトナー、Ｃトナー、Ｋトナーをそれぞれ現像装置４Ｙ、４Ｍ、４Ｃ、４Ｋへ補給するトナーボトルユニット７Ｙ、７Ｍ、７Ｃ、７Ｋが配置されている。また、各作像系1Ｙ、１Ｍ、１Ｃ、１Ｋは各々独立な光書き込み装置８Ｙ、８Ｍ、８Ｃ、８Ｋが配置され、この光書き込み装置８Ｙ、８Ｍ、８Ｃ、８Ｋはレーザ光源としてのレーザダイオード（ＬＤ）光源９Ｙ、９Ｍ、９Ｃ、９Ｋや、コリメートレンズ１０Ｙ、１０Ｍ、１０Ｃ、１０Ｋ、ｆθレンズ１１Ｙ、１１Ｍ、１１Ｃ、１１Ｋ、といった光学部品、偏向走査手段としてのポリゴンミラー１２Ｙ、１２Ｍ、１２Ｃ、１２Ｋ、折り返しミラー１３Ｙ、１３Ｍ、１３Ｃ、１３Ｋ、１４Ｙ、１４Ｍ、１４Ｃ、１４Ｋなどを有する。
【００２５】
各作像系1Ｙ、１Ｍ、１Ｃ、１Ｋは垂直に配列され、その右側には転写ベルトユニット１５がＯＰＣドラム２Ｙ、２Ｍ、２Ｃ、２Ｋに接する形で配置される。転写ベルトユニット１５は、転写ベルト１６がローラ１７〜２０に張架されて図示しない駆動源により回転駆動される。装置下側には転写材としての転写紙が収納された給紙トレイ２１が配置され、装置上部に定着装置２２、排紙ローラ２３及び排紙トレイ２４が配設される。
【００２６】
作像時には、各作像系1Ｙ、１Ｍ、１Ｃ、１Ｋにおいて、それぞれ、ＯＰＣドラム２Ｙ、２Ｍ、２Ｃ、２Ｋが図示しない駆動源により回転駆動され、帯電ローラ３Ｙ、３Ｍ、３Ｃ、３ＫによりＯＰＣドラム２Ｙ、２Ｍ、２Ｃ、２Ｋが一様に帯電されて光書き込み装置８Ｙ、８Ｍ、８Ｃ、８Ｋが各色の画像データに基づきＯＰＣドラム２Ｙ、２Ｍ、２Ｃ、２Ｋに光書込みを行うことによって、ＯＰＣドラム２Ｙ、２Ｍ、２Ｃ、２Ｋ上に静電潜像が形成される。
【００２７】
このＯＰＣドラム２Ｙ、２Ｍ、２Ｃ、２Ｋ上の静電潜像はそれぞれ現像装置４Ｙ、４Ｍ、４Ｃ、４Ｋにより現像されてＹ、Ｍ、Ｃ、Ｋ各色のトナー像となり、一方、給紙トレイ２１から給紙ローラ２５により転写紙が水平方向に給紙されて搬送系により作像系1Ｙ、１Ｍ、１Ｃ、１Ｋ方向へ垂直に搬送される。この転写紙は、転写ベルト１６に静電的に吸着保持されて転写ベルト１６により搬送され、図示しない転写バイアス印加手段により転写バイアスが印加されてＯＰＣドラム２Ｙ、２Ｍ、２Ｃ、２Ｋ上のＹ、Ｍ、Ｃ、Ｋ各色のトナー像が順次に重ねて転写されることでフルカラー画像が形成される。このフルカラー画像が形成された転写紙は、定着装置２２によりフルカラー画像が定着されて排紙ローラ２３により排紙トレイ２４へ排出される。
【００２８】
図１に示すように、パーソナルコンピュータなどのプリンタドライバ２６は、Ｙ、Ｍ、Ｃ、Ｋ各色の多階調の画像データを各色毎にディザマトリクスを用いて２値（２値以外の少値としてもよい）の画像データに変換する中間調処理部２７Ｙ、２７Ｍ、２７Ｃ、２７Ｋと、この中間調処理部２７Ｙ、２７Ｍ、２７Ｃ、２７Ｋで変換した画像データに基づき画像書き込み信号を各色毎に変調する変調部２８Ｙ、２８Ｍ、２８Ｃ、２８Ｋとを有し、この変調部２８Ｙ、２８Ｍ、２８Ｃ、２８Ｋにより変調した画像書き込み信号で光書き込み装置８Ｙ、８Ｍ、８Ｃ、８ＫのＬＤ光源９Ｙ、９Ｍ、９Ｃ、９Ｋが駆動されてＬＤ光源９Ｙ、９Ｍ、９Ｃ、９Ｋからのレーザ光によりＯＰＣドラム２Ｙ、２Ｍ、２Ｃ、２Ｋの露光が行われる。
【００２９】
なお、中間調処理部２７Ｙ、２７Ｍ、２７Ｃ、２７Ｋは画像形成装置のプリンタコントローラに配置し、中間調処理部２７Ｙ、２７Ｍ、２７Ｃ、２７Ｋからの画像データをプリンタドライバ２６内の変調部２８Ｙ、２８Ｍ、２８Ｃ、２８Ｋへ転送するようにしてもよい。
【００３０】
次に、参考形態１におけるＹ、Ｍ、Ｃ、Ｋ各色の画像の位置ずれについて説明する。参考形態１は、４つの作像系1Ｙ、１Ｍ、１Ｃ、１ＫでＹ、Ｍ、Ｃ、Ｋ各色の画像を形成し、この各色の画像を転写紙へ順次に重ねて転写する方式であるので、プリント速度に優れている。しかし、作像系1Ｙ、１Ｍ、１Ｃ、１Ｋが異なることから、光学系や構造体の位置誤差、ＯＰＣドラム２Ｙ、２Ｍ、２Ｃ、２Ｋなどの形状誤差等により、Ｙ、Ｍ、Ｃ、Ｋ各色の画像の位置に数十ミクロンのずれが発生することがある。
【００３１】
これに対して正確な位置調整をしたとしても、光学部品は環境や経時で位置変動を起こす場合もある。また、部品の精度により、一枚のプリントでも数十ミクロンずれの局所的な変動が避けられない。一方、一つの作像系を有する画像形成装置では、４色の画像を一つの作像系で形成するので、各色画像の位置ずれ量は4つの作像系を有する画像形成装置より低く抑えられるが、ある程度は発生する。
【００３２】
カラー画像では、Ｙ、Ｍ、Ｃ、Ｋ各色の画像の局所的な位置ずれが発生すると、例えば各色の画像データに一般的な網点型ディザ処理を施して各色の画像を形成し、これらの各色画像を重ね合わせた場合、その各色画像のドットは、周期性を持って配置され、カラー画像内で重なり合っているので、ドットの重なり具合が部分的に異なることになる。すなわち、ある２つ以上のドット同士が、ある位置では重なっているにもかかわらず、他の位置では離れて配置されることになる。
【００３３】
図３に示すように、マゼンタのドットＭＤとシアンのドットＣＤを網点状のディザにより形成してこれらを重ねて配置した場合、画像上で、図３（ａ）に示すようにマゼンタのドットＭＤとシアンのドットＣＤがほぼ重なっている所と、図３（ｂ）に示すようにマゼンタのドットＭＤとシアンのドットＣＤが一部だけ重なっている所と、図３（ｃ）に示すようにマゼンタのドットＭＤとシアンのドットＣＤが重ならない所が存在する。
【００３４】
マゼンタのドットＭＤとシアンのドットＣＤが重なっている部分は、色が濁って観察され、マゼンタのドットＭＤとシアンのドットＣＤが同じデータ条件で形成されて離れて配置された部分とは色味が微妙に異なって観察される。一般的に、各色の画像はその内部で低周波の周期的な位置変動があり、カラー画像の均一な濃度の色部に色の変化である色付きといった現象が現れる。
【００３５】
次に、本参考形態１の万線スクリーン角ディザについて説明する。本参考形態１では、中間調処理部２７Ｙ、２７Ｍ、２７Ｃ、２７Ｋによる画像データの中間調処理にディザ法を用いている。そのディザは、Ｙ、Ｍ、Ｃ、Ｋ各色の画像の基調がライン状となり、更にそのライン方向性が各色で異なる万線スリーン角ディザとしている。
【００３６】
万線スクリーン角ディザによれば、ライン画像によるドット集中で安定な画像が形成され、スクリーン角による色版ずれに対する色ムラ低減が図られる。網点型のディザでは、ドットが四方に配列され、直交する方向の方向性を持つため、４色のスクリーン角は、９０度以内に配置しなければならず、各３０度又は１５度となるのが一般的である。本実施形態１の万線スクリーン角ディザでは、万線ラインの方向性が１方向であるため、４色版のスクリーン角を１８０度以内に設定でき、スクリーン角の自由度が大きく、テクスチャの少ないスクリーン角を選択できる。
【００３７】
次に、本参考形態１の１２００（主走査方向）＊６００（副走査方向）ｄｐｉ／１ｂｉｔディザについて説明する。図４は本参考形態１におけるディザマトリクスのＹ、Ｍ、Ｃ、Ｋ各色に関する仕様を示す。Ｙ、Ｍ、Ｃ、Ｋ各色はスクリーン線総数が１９０線と共通であり、比較的高解像の画像が形成される。各色の階調は後述するように８０のマトリクスで構成され、階調数は８１階調となる。各色の万線スクリーン角方向は図１０に示すように構成しており、図４に示すように各色毎に３０度以上離して、ライン画像を配置している。
【００３８】
基本マトリクスは、図５〜図８に示す各色版マトリクスのように、２０ドットで構成し、４つのサブマトリクスで上記階調を表現している。画像内の繰り返しマトリクスはそれぞれ４０＊２０ドットの周期となり、そのディザマトリクスを中間調処理部２７Ｙ、２７Ｍ、２７Ｃ、２７Ｋにディザ変換テーブルの形で配置している。
【００３９】
次に、本参考形態１におけるディザマトリクスについて説明する。図５〜図８は本参考形態１の１２００＊６００ｄｐｉ／１ｂｉｔの各色版ディザマトリクスを示し、中間調処理部２７Ｙ、２７Ｍ、２７Ｃ、２７ＫはＹ、Ｍ、Ｃ、Ｋ各色の多階調の画像データをそれぞれＹ、Ｍ、Ｃ、Ｋの各色版ディザマトリクスの各ドット配置内の数値と比較して２値データに変換する。画像データがディザマトリクスの各ドット配置内の数値より大きい場合はそのドットをオンとし、画像データがディザマトリクスの各ドット配置内の数値に対して等しいか小さい場合にはそのドットをオフとするように画像データを変換する。
【００４０】
図５はＭ版のディザマトリクスであり、中間調処理部２７Ｍは多階調のＭ画像データをＭ版ディザマトリクスの各ドット配置内の数値と比較して２値データに変換する。図９に示すようにＭ版のディザマトリクスは画像上繰り返して配置される。従って、画像データが均一濃度のデータである場合、濃度が上がる順にＭ版ディザマトリクスの各ドット配置内の数値の小さいところからドットが埋まって行き、最初は４つのサブマトリクス１〜４の中心付近から孤立のドットが発生し、画像平面状に規則的に点在する。
【００４１】
次に、濃度が上がると、その孤立ドットに隣接する形でドットが発生し、最初のドットが大きくなって形成される。この場合、１ドットの書き込み露光期間をフルに設定していれば、１２００ｄｐｉで副走査方向２ドット分の画像書き込み信号が連続となり、ＯＰＣドラム２Ｍの露光による潜像の電位減衰が大きく、安定したドットが形成される。さらに濃度が上がれば、その大きくなって形成されたドットと主走査方向に結合するような順位でドットが発生し、副走査方向２ドット幅のライン状画像へと推移する。
【００４２】
その結果、図５に示すラインＬの方向に、ドットが結合したライン状画像が形成される。その後、中濃度以降は、それ以前の低濃度部のドット成長順位とは異なり、上記２ドット幅ラインに対して、マトリクスの数値が示すように４つのサブマトリクスで順番にドットを添えるようになり、濃度増加に伴い均一に上記ライン画像が太っていく。
【００４３】
図６に示すＹ版のディザマトリクスは、Ｍ版ディザマトリクスと同形の２０ドットの基本マトリクスで構成しており、時計４時方向の万線スクリーンを形成する。中間調処理部２７Ｙは多階調のＹ画像データをＹ版ディザマトリクスの各ドット配置内の数値と比較して２値データに変換する。画像データが均一濃度のデータである場合、濃度増加に伴い各サブマトリクス内の中央から副走査方向に順次に濃度が増加して行き、マトリクス内で副走査方向のラインを形成する。その後、濃度増加に伴いそのラインの副走査方向の上下段に対して、そのラインを次のマトリクスの主走査方向に延長するように伸ばし、ライン画像が太っていくように成長する。
【００４４】
図７に示すＣ版ディザマトリクスは、図６に示すＹ版ディザマトリクスに対して、水平線で線対称な構造をしている。Ｃ版ディザマトリクスは、Ｙ版ディザマトリクスと同形の２０ドットの基本マトリクスで構成されており、時計２時方向の万線スクリーンを形成する。中間調処理部２７Ｃは多階調のＣ画像データをＣ版ディザマトリクスの各ドット配置内の数値と比較して２値データに変換する。画像データが均一濃度のデータである場合、濃度増加に伴い、各サブマトリクス内の中央から副走査方向に順次に濃度が増加して行き、マトリクス内で副走査方向のラインを形成する。その後、濃度増加に伴いそのラインの副走査方向の上下段に対して、そのラインを次のマトリクスの主走査方向に延長するように伸ばし、ライン画像が太っていくように成長する。
【００４５】
図８に示すＫ版ディザマトリクスは、図５に示すＭ版ディザマトリクスに対して、水平線で線対称な構造をしている。Ｋ版ディザマトリクスは、Ｍ版ディザマトリクスと同形の２０ドットの基本マトリクスで構成されており、時計１１時方向の万線スクリーンを形成する。中間調処理部２７Ｋは多階調のＫ画像データをＫ版ディザマトリクスの各ドット配置内の数値と比較して２値データに変換する。画像データが均一濃度のデータである場合、濃度増加に伴い、各サブマトリクス内の中央から副走査方向２ドット幅のラインを形成して行き、その後、そのラインの主走査方向に結合する形で１ドット毎にドットを増加して行き、均一な直線になるようにラインを太らせて行く。
【００４６】
図９はＭ版のサブマトリクス１〜４の配置を示す。このサブマトリクス１〜４の順位は画像のライン方向と同一順であり、すなわち、サブマトリクス１とサブマトリクス２、サブマトリクス３とサブマトリクス４はスクリーン方向としている。マトリクス形状は図５〜図８の各色版でも同じであり、サブマトリクスの順位方向とスクリーン方向とは同一にしている。
【００４７】
この参考形態1によれば、主走査方向の画素密度が副走査方向の画素密度以上で画像を形成する画像形成方法を採用した画像形成装置において、色版ずれによる色ムラに有利なスクリーン角付きディザの万線基調の画像を形成するディザ法で、画像のハイライト部がドットを主走査方向に隣接させて発生し、縦横の方向性の少ないバランスの取れた画像を形成する。具体的には、主走査方向１２００ｄｐｉ、副走査方向６００ｄｐｉの密度で書き込む場合であって、単独ドットではやや縦長のドットが形成される。ドットを形成し始めるハイライト部では、主走査２ドットまで連続的に発生するようにディザマトリクスを配置することにより、縦横比のほぼ等しい円状のドットが形成されるとともに、ハイトライト部でのドット形成が安定し、変動の少ない高画質が実現される。
【００４８】
すなわち、１２００（主走査方向）＊６００（副走査方向）ｄｐｉのように主走査方向と副走査方向の書き込み密度が異なる場合に、画像データが均一濃度のデータである時は、濃度増加に伴い、主走査方向と副走査方向の両方向のサイズが等しくなる単位（１２００＊６００ｄｐｉでは主走査方向に２ドット）まで連続的にドットを成長するようにディザマトリクスを構成し、その後、ライン画像を均一に増加させるので、電子写真プリンタの欠点であったハイライト部の不安定なドット形成が安定に行われる。
【００４９】
次に、本発明の実施の形態１について説明する。この実施形態２は、上記実施形態１において、中間調処理部２７Ｙ、２７Ｍ、２７Ｃ、２７Ｋが以下に述べるように多階調の画像データをディザマトリクスを用いて各ドット３値以上の画像データに変換する。図２０は実施形態２の１２００(主走査方向)＊６００（副走査方向）ｄｐｉ／２ｂｉｔの書き込みにおける万線スクリーン角ディザの仕様を示す。
【００５０】
この仕様はディザマトリクスのＫ、Ｃ、Ｍ、Ｙの各色に関する仕様である。Ｋ版及びＹ版はスクリーン線数が１９０線で、Ｃ版及びＭ版は２１０線であり、高解像の画像が形成される。各色の階調は計１６０のマトリクスで構成され、階調数が１６１階調となる。各色の万線スクリーン角方向は、図２０に示すように角色毎に３０度以上離すように配置している。基本マトリクスは２０ドットで構成し、各色はそれぞれ２つのサブマトリクスと各ドットの４値の多値数で上記階調を表現している。画像内の繰り返しマトリクスは、各色が４０＊２０ドットと２０＊８ドットの周期となり、中間調処理部２７Ｙ、２７Ｍ、２７Ｃ、２７Ｋにディザ変換テーブルの形で配置している。
【００５１】
次に、実施形態１のディザマトリクスについて説明する。図１１〜図１３は１２００（主走査方向）＊６００（副走査方向）ｄｐｉ／２ｂｉｔディザのＫ版ディザ閾値マトリクスを示す。マトリクスは図１１〜図１３に示すように変形のブロックであり、数値がＫ版のドット発生順位を示している。２ｂｉｔデータの書き込みは、１２００＊６００ｄｐｉのドット内を０と３レベルの露光が可能である。
【００５２】
書き込み変調方式は、実施形態１では変調部２８Ｙ、２８Ｍ、２８Ｃ、２８ＫによりＬＤ光源９Ｙ、９Ｍ、９Ｃ、９Ｋの露光時間を制御するＰＷＭ（パルス幅変調）方式であるが、露光パワーを変調するＰＭ（パワー変調）方式でも構わない。また、ＰＷＭ方式とＰＭ方式を組み合わせた方式や、さらに多値数のＬＤ光源変調を行う方式も可能である。
【００５３】
Ｋ版の閾値マトリクスは多値数Ｎに応じて（Ｎ−1）の閾値テーブルを持ち、中間調処理部２７Ｋは各閾値の数値と多階調の画像データとを比較して各閾値の区間に入る多値データに変換する。この多値データが２ｂｉｔデータである例では、中間調処理部２７Ｋは、図１１に示す閾値テーブル１の閾値より多階調の画像データが小さい場合には２ｂｉｔデータをデータ０とし、画像データが閾値テーブル１の閾値以上で図１２に示す閾値テーブル２の閾値より小さい場合には２ｂｉｔデータをデータ１とし、画像データが閾値テーブル２の閾値以上で図１３に示す閾値テーブル３の閾値より小さい場合には２ｂｉｔデータをデータ２とし、画像データが閾値テーブル３の閾値以上である場合には２ｂｉｔデータをデータ３とする。
【００５４】
変調部２８Ｋは、中間調処理部２７Ｋからの２ｂｉｔデータによりＰＷＭの０〜１００％を変調してＯＰＣドラム２Ｋに画像を書き込む。この場合、ＰＷＭ値は、２ｂｉｔデータにより０％、３３％、６６％、１００％と均等にしてもよいし、２ｂｉｔデータにより異なる値にしてもよい。また、ＰＷＭ値の最大値を１００％以下にしても構わない。以上により、画像データはＯＦＦを含む４段階の異なった露光レベルに変換され、ドットサイズの異なる画像形成が行われる。
【００５５】
図１１〜図１３に示すようなＫ版のマトリクスは画像上繰り返して配置される。従って、画像データが均一濃度のデータである場合、濃度が上がる順に数値の小さいところから、すなわち、図１１に示すＭ版マトリクスの各ドット配置内の数値の小さいところから小さいドットが発生し、最初は２つのサブマトリクスの中心付近から孤立のドットが発生し、ドットが画像平面状に規則的に点在し始める。次に、濃度が上がると、その小さいドットの部分が次の露光レベルで中サイズのドットとなり、次の露光レベルでは大サイズの安定したドットが形勢される。この場合、１ドットの書込み露光時間をフルに設定していれば、１２００＊６００ｄｐｉで１ドット分の孤立ドットが形成される。
【００５６】
さらに濃度が上がれば、図１１に示すようにそのドットと副走査方向に結合するような順位で小ドットから順次に発生し、大ドットへと成長する。その結果、１ドット単位の濃度が飽和した状態で次のドットへ移行し、ライン状画像へと推移する。その後、中濃度部以降もライン画像が濃度増加に伴い太って行く。この場合、２つのサブマトリクス方向は、万線のライン方向とは異なり、万線のライン方向と直交する方向としている。
【００５７】
図２２は同じくＭ版ディザマトリクスの順位を示す。これは、ドットの発生順序を示したものであるが、実際には図１１〜図１３に示すＫ版ディザマトリクスのように３つの閾値テーブルによるマトリクスに変換された構造となる。Ｍ版ディザマトリクスは、長方形の２０ドットの基本マトリクスで構成しており、時計２時方向の万線スクリーンを形成する。この場合は、ドット周期が正確な方形ではない形状をしている。
【００５８】
中間調処理部２７ＭはＭ版の各閾値マトリクスの閾値と多階調の画像データとを比較して各閾値の区間に入る２値データに変換する。画像データが均一濃度のデータである場合、濃度増加に伴い、上記と同様に小ドットから順次に大ドットへと成長し、１ドット単位の濃度が飽和した状態で次のドットへ移行する。各マトリクスの端部から副走査方向に順次にドットを増加して行き、ラインを形成する。その後、ライン画像が太って行くように成長する。
【００５９】
Ｙ版ディザマトリクスは、図１１〜図１３に示すＫ版ディザマトリクスに対して、垂直線で線対称な構造をしている。また、Ｙ版ディザマトリクスは、同形の２０ドットの基本マトリクスで構成しており、時計１１時方向の万線スクリーンを形成する。中間調処理部２７ＹはＹ版の各閾値マトリクスの閾値と多階調の画像データとを比較して各閾値の区間に入る２値データに変換する。画像データが均一濃度のデータである場合、濃度増加に伴い、上記と同様に小ドットから順次に大ドットへと成長し、１ドット単位の濃度が飽和した状態で次のドットへ移行する。
【００６０】
Ｃ版ディザマトリクスは、図２２に示すＭ版ディザマトリクス順位に対して、垂直線で対称な構造をしている。また、Ｃ版ディザマトリクスは、同形の２０ドットの基本マトリクスで構成しており、時計１０時方向の万線スクリーンを形成する。中間調処理部２７ＣはＣ版の各閾値マトリクスの閾値と多階調の画像データとを比較して各閾値の区間に入る２値データに変換する。画像データが均一濃度のデータである場合、濃度増加に伴い、上記と同様に小ドットから順次に大ドットへと成長し、１ドット単位の濃度が飽和した状態で次のドットへ移行する。
【００６１】
この実施形態１によれば、レーザの多値書込みをパルス幅変調（ＰＷＭ）で行い、その書込みパルス幅の増加方向にディザマトリクス値を増やすことにより、画像書き込み信号が主走査方向に連続し、集中した電位分布の安定した画像を形成することができる。また、書き込みパルス幅の増加方向とディザマトリクスの増加方向を同方向にして、濃度増加に対してスムーズな万線の成長を行い、テクスチャが発生しない。
【００６２】
すなわち、多階調の画像データをディザマトリクスを用いて各ドット３値以上の画像データに変換し、この画像データに基づき画像書き込み信号をパルス幅変調して画像を形成する画像形成方法を採用した画像形成装置において、前記ディザマトリクスは多階調の画像データを画像が所定の方向のライン基調に形成されるように変換し、各ドットを濃度増加に伴い飽和値になるまで連続して増加させ、その後の前記ディザマトリクスのデータ順位を既存のドットの主走査方向に隣接してドットを配置する順位とするように構成したので、露光分布の集中した安定した画像形成を行うことができ、画像のテクスチャの少ない高品質な画像を形成することができる。
【００６３】
次に、本発明の実施の形態２について説明する。この実施形態３は、上記参考形態１において、中間調処理部２７Ｙ、２７Ｍ、２７Ｃ、２７Ｋが以下に述べるように多階調の画像データをディザマトリクスを用いて２値（２値以外の少値としてもよい）の画像データに変換する。図２１は実施形態３の１２００(主走査方向）＊１２００（副走査方向）ｄｐｉ／１ｂｉｔの書き込みにおける万線スクリーン角ディザの仕様を示す。
【００６４】
Ｋ、Ｃ、Ｍ、Ｙの各色版の万線スクリーン角ディザはスクリーン線数が２２３線であり、高解像の画像が形成される。各色の階調は計１１６のマトリクス値で構成され、階調数は１１７階調となる。各色の万線スクリーン角方向は図２１に示すように各色毎に４０度以上で十分に離すようにライン画像に配置している。基本マトリクスは２９ドットで構成し、各色はそれぞれ４つのサブマトリクスで上記階調を表現している。画像内の繰り返しマトリクスは、各色が５８＊５８ドットの周期となり、中間調処理部２７Ｙ、２７Ｍ、２７Ｃ、２７Ｋにディザ変換テーブルの形で配置している。
【００６５】
図１４はＭ版ディザマトリクスの第１の例を示す。このＭ版ディザマトリクスを垂直線に対して線対称にしたものをＹ版ディザマトリクスの第１の例とし、Ｍ版ディザマトリクスの第１の例を４５度方向線に対して線対称にしたものをＫ版ディザマトリクスの第１の例とし、このＫ版ディザマトリクスを垂直線に対して線対称にしたものをＣ版ディザマトリクスの第１の例として各色版ディザマトリクスの第１の例を同様の構成としている。
【００６６】
また、各色版ディザマトリクスの第２の例は各色版ディザマトリクスの第１の例とスクリーン角が同じであり、図１７はＭ版ディザマトリクスの第２の例を示す。このＭ版ディザマトリクスを垂直線に対して線対称にしたものをＹ版ディザマトリクスの第２の例とし、Ｍ版ディザマトリクスの第２の例を４５度方向線に対して線対称にしたものをＫ版ディザマトリクスの第２の例とし、このＫ版ディザマトリクスを垂直線に対して線対称にしたものをＣ版ディザマトリクスの第２の例として各色版ディザマトリクスの第２の例を同様の構成としている。
【００６７】
次に、実施形態２のディザマトリクスについて説明する。図１４は１２００（主走査方向）＊１２００（副走査方向）ｄｐｉ／１ｂｉｔディザのＫ版ディザ閾値マトリクスの第１の例を示し、図１７は１２００＊１２００ｄｐｉ／１ｂｉｔディザのＫ版ディザ閾値マトリクスの第２の例を示す。実施形態３の１２００＊１２００ｄｐｉ／１ｂｉｔの書き込みにおける万線スクリーン角ディザの第１の例および第２の例の仕様は、図２１に示すとおりであり、実施形態２と同様である。
【００６８】
図１４に示すＭ版ディザマトリクスの第１の例は濃度発生順位のマトリクス値で構成されており、ハイライト部からのドット発生を図１５から図１４に示す。中間調処理部２７Ｍは多階調のＭ画像データをＭ版ディザマトリクスの第１の例又は第２の例の各ドット配置内の数値と比較して２値データに変換する。Ｍ版のディザマトリクスは画像上繰り返して配置される。
【００６９】
図１５は画像データが均一な１７レベルである場合のＭ版ディザマトリクスの第１の例による画像データ変換例であり、８ドットが離散的に発生して直線に配置される。次に、図１６は画像データが均一な４３レベルである場合の画像データ変換例であり、ドットが直線に配置されてライン画像を形成する。以降は、その１ドットサイズのラインに対して、濃度増加に伴い、順次にドットが結合され、ライン画像が太るように成長する。１２００ｄｐｉの２１μｍのドット書き込みピッチに対して、およそ３０〜４０μｍ径程度のドットを形成しているが、Ｍ版ディザマトリクスの第１の例では、ハイライト部から孤立のドットを形成し、１ドットラインの万線基調としているので、視覚特性からドットあるいはラインが解像されず目立ち難い。
【００７０】
図１７に示すＭ版ディザマトリクスの第２の例はＭ版ディザマトリクスの第１の例とは異なる濃度発生順位のマトリクス値で構成されており、ハイライト部からのドット発生を図１８から図１９に示す。Ｍ版ディザマトリクスの第２の例では、画像データが均一濃度のデータである場合、濃度増加に伴い、基本マトリクス毎の孤立ドットの発生から、隣接する主走査方向のドットが発生し、次にそれに、隣接する副走査方向のドットを結合する形で配置する。図１８は画像データが均一な３５レベルである場合のＭ版ディザマトリクスの第２の例による画像データ変換例であり、４ドットが結合した網点状の配置形態となる。次に、それと結合する部分から副走査方向にドットが発生して行く。図１９は画像データが均一な８７レベルである場合の画像データ変換例であり、ドットが２ドット幅の直線の配置となる。以降は、その２ドットサイズのラインに対して、濃度増加に伴い、順次にドットが結合され、ライン画像が太るように成長する。
【００７１】
Ｍ版ディザマトリクスの第２の例では、ハイライト部でドットを主走査方向に結合した形で配置し、電子写真プリンタにおいて安定したドットが形成される。また、これは上述の通り１ドットの露光時間を１００デューティとすることにより、画像書込み光信号が連続になるため、より効果的になる。その後、２ドットラインの万線基調としているため、安定したライン画像が形成され、濃度ムラや色ムラが発生し難い。
【００７２】
この実施形態２によれば、１２００ｄｐｉ（主走査方向）の高密度書き込みによる小ドット化により不安定になるドットに対して、濃度増加に伴い必ずドットを隣接させて配置し、かつ、画像のハイライト部は主走査方向２ドット単位で連続的に発生させ、高密度書き込みでも安定した画像を形成し、変動の少ない高画質を実現する。
【００７３】
すなわち、色版ずれによる色ムラに有利なスクリーン角付きディザの万線基調の画像を形成するディザ法で、かつ、ハイライト部はドットを隣接させて発生する。具体的には、主走査２ドットまで連続的に発生するようにディザマトリクスを配置することにより、ハイライト部でのドット形成が安定し、変動の少ない高画質が実現される。特に、１ドット当たりの露光エネルギーの少ない高密度書き込み、例えば１２００ｄｐｉの高密度書き込みでは有効である。
【００７４】
なお、本発明は、上記実施形態に限定されるものではなく、レーザプリンタ、デジタル複写機、カラーレーザプリンタなどの画像形成装置及び表示装置などに適用することができる。請求項５に係る発明ではディザマトリクスは多階調の画像データを各ドット３値以上（２ｂｉｔ以外）の画像データに変換する構造としてもよく、請求項１〜４に係る発明ではディザマトリクスは多階調の画像データを２値以外の少値の画像データに変換する構造としてもよい。
【００７５】
【発明の効果】
以上のように請求項１〜４に係る発明によれば、高密度書き込みでも安定した画像を形成することができ、変動の少ない高画質を実現することができる。
請求項５に係る発明によれば、露光分布の集中した安定した画像形成を行うことができ、テクスチャの少ない高品質な画像を形成することができる。
【図面の簡単な説明】
【図１】  本発明の参考形態１のプリンタドライバ及びＬＤ光源を示すブロック図である。
【図２】  同参考形態１の構造を示す概略図である。
【図３】  マゼンタのドットとシアンのドットとの重なり具合の各例を示す図である。
【図４】  参考形態１におけるディザマトリクスの各色に関する仕様を示す図である。
【図５】  参考形態１のＭ版のディザマトリクスを示す図である。
【図６】  参考形態１のＹ版のディザマトリクスを示す図である。
【図７】  参考形態１のＣ版のディザマトリクスを示す図である。
【図８】１
【図９】  参考形態１のＭ版のサブマトリクスの配置を示す図である。
【図１０】  参考形態１の各色の万線スクリーン角方向を示す図である。
【図１１】  実施形態１のＫ版ディザ閾値マトリクス１を示す図である。
【図１２】  実施形態１のＫ版ディザ閾値マトリクス２を示す図である。
【図１３】  実施形態１のＫ版ディザ閾値マトリクス３を示す図である。
【図１４】  本発明の実施形態２におけるＭ版ディザマトリクスの第１の例を示す図である。
【図１５】  実施形態２における画像データが均一な１７レベルである場合のＭ版ディザマトリクスの第１の例による画像データ変換例を示す図である。
【図１６】  実施形態２における画像データが均一な４３レベルである場合の画像データ変換例を示す図である。
【図１７】  実施形態２におけるＭ版ディザマトリクスの第２の例を示す図である。
【図１８】  実施形態２における画像データが均一な３５レベルである場合のＭ版ディザマトリクスの第２の例による画像データ変換例を示す図である。
【図１９】  実施形態２における画像データが均一な８７レベルである場合の画像データ変換例を示す図である。
【図２０】  実施形態１の１２００＊６００ｄｐｉ／２ｂｉｔの書き込みにおける万線スクリーン角ディザの仕様を示す図である。
【図２１】  実施形態２の１２００＊１２００ｄｐｉ／１ｂｉｔの書き込みにおける万線スクリーン角ディザの仕様を示す図である。
【図２２】  実施形態２のＭ版ディザマトリクスの順位を示す図である。
【符号の説明】
1Ｙ、１Ｍ、１Ｃ、１Ｋ      作像系
２Ｙ、２Ｍ、２Ｃ、２Ｋ      ＯＰＣドラム
３Ｙ、３Ｍ、３Ｃ、３Ｋ      帯電ローラ
４Ｙ、４Ｍ、４Ｃ、４Ｋ      現像装置
８Ｙ、８Ｍ、８Ｃ、８Ｋ      光書き込み装置
９Ｙ、９Ｍ、９Ｃ、９Ｋ      ＬＤ光源
２７Ｙ、２７Ｍ、２７Ｃ、２７Ｋ      中間調処理部
【図１】
0003980800.tif 000002
【図２】
0003980800.tif 000003
【図３】
0003980800.tif 000004
【図４】
0003980800.tif 000005
【図５】
0003980800.tif 000006
【図６】
0003980800.tif 000007
【図７】
0003980800.tif 000008
【図８】
0003980800.tif 000009
【図９】
0003980800.tif 000010
【図１０】
0003980800.tif 000011
【図１１】
0003980800.tif 000012
【図１２】
0003980800.tif 000013
【図１３】
0003980800.tif 000014
【図１４】
0003980800.tif 000015
【図１５】
0003980800.tif 000016
【図１６】
0003980800.tif 000017
【図１７】
0003980800.tif 000018
【図１８】
0003980800.tif 000019
【図１９】
0003980800.tif 000020
【図２０】
0003980800.tif 000021
【図２１】
0003980800.tif 000022
【図２２】
0003980800.tif 000023